(57)【要約】【課題】過負荷が生じてワークの加工精度が低下する事態が生じた場合に、加工精度が低下した原因を容易に特定することができ、修理やメンテナンス等の対策を迅速かつ適切に講じることを可能とする主軸の監視装置を提供する。【解決手段】主軸装置を有する数値制御方式の工作機械には、制御装置、位置検出器、センサ等によって構成される主軸監視装置が設けられており、その主軸監視装置の制御装置には、記憶手段が内蔵されている。そして、主軸モータあるいは送り軸モータに所定の閾値を超えた高い負荷が加わった場合には、主軸の位相角と、主軸モータおよび各送り軸モータに加わった負荷の値とを、記憶手段内に記憶するようになっている。【選択図】図４
2009045711.tif 000002
【特許請求の範囲】
【請求項１】
主軸を軸受で支持した主軸装置を有する数値制御方式の工作機械において、前記主軸への負荷の状態を監視するために設置される監視装置であって、
主軸を駆動する主軸モータあるいは送り軸モータに所定の閾値を超えた高い負荷が加わった場合に、主軸の位相角と、前記主軸モータおよび／または前記各送り軸モータに加わった負荷の値とを記憶する記憶手段が設けられていることを特徴とする主軸監視装置。
【請求項２】
主軸モータあるいは送り軸モータに所定の閾値を超えた高い負荷が加わった場合に、記憶手段が、主軸の位相角およびモータに加わった負荷の値を、前記閾値を超えた高い負荷が加わった時刻に関連付けて記憶することを特徴とする請求項１に記載の主軸監視装置。
【発明の詳細な説明】
【技術分野】
【０００１】
本発明は、数値制御方式の工作機械において主軸の状態を監視するための監視装置（システム）に関するものである。
【背景技術】
【０００２】
回転軸（主軸）を軸受で回転可能に支えた主軸装置を有する数値制御方式の工作機械においては、ワーク（被加工物）の材質や形状、工具の摩耗等により主軸モータあるいは各送り軸モータに高い負荷が加わること（過負荷）がある。そのように主軸モータや各送り軸モータに高い負荷が加わる状態が続くと、ワークの加工精度が悪くなったり、機械の耐久性に悪影響を及ぼしたりする。それゆえ、主軸モータおよび各送り軸モータの負荷状態を数値制御装置により監視してリアルタイムで表示するとともに、過負荷が生じた場合にアラームにより事態を報知して機械を停止させる技術が開発されている。また、主軸を取り囲むようにリング部材を設けることにより、高い負荷が加わって主軸が変形しそうな場合に、主軸をリング部材に接触させて変形を抑えるようにした工作機械も開発されている（特許文献１）。
【０００３】
【特許文献１】特開２００６−３０５６６９号公報
【発明の開示】
【発明が解決しようとする課題】
【０００４】
上記した主軸モータおよび各送り軸モータの負荷状態をリアルタイムで表示する技術によれば、オペレータが、常時、工作機械のそばにいれば、主軸モータや各送り軸モータへの負荷の状態や工作機械の稼動状態を把握することが可能となる。しかしながら、実際に工作機械を稼働させる場合には、無人で稼働させることやオペレータが工作機械から離れていることが多く、モータへの負荷状態や稼動状態を常時リアルタイムで確認することはできない。それゆえ、過負荷が生じてワークの加工精度が低下する事態が生じた場合に、そのときの各モータへの負荷の値や、過負荷が生じた際の工作機械の作動状況を確認することができないために、加工精度が低下した原因を特定することができず、修理やメンテナンス等の対策を迅速かつ適切に講じることができなかった。また、特許文献１の技術によれば、リング部材によってワークの加工精度の低下を防止できるものの、過負荷が生じた原因を特定することはできなかった。
【０００５】
本発明の目的は、上記従来の主軸の監視技術の問題点を解消し、過負荷が生じてワークの加工精度が低下する事態が生じた場合に、加工精度が低下した原因を容易に特定することができ、修理やメンテナンス等の対策を迅速かつ適切に講じることを可能とする主軸の監視装置を提供することにある。
【課題を解決するための手段】
【０００６】
本発明の内、請求項１に記載された発明は、回転軸を軸受で支持した数値制御方式の主軸装置に設置される監視装置であって、主軸を駆動する主軸モータあるいは送り軸モータに所定の閾値を超えた高い負荷が加わった場合に、主軸の位相角と、前記主軸モータおよび／または前記各送り軸モータに加わった負荷の値とを記憶する記憶手段が設けられていることを特徴とするものである。なお、本発明の送り軸モータとは、数値制御方式の主軸装置において、主軸の位置やテーブルの位置等を調整するために用いられる送り軸機構を作動させるためのモータのことである。
【０００７】
請求項２に記載された発明の構成は、主軸モータあるいは送り軸モータに所定の閾値を超えた高い負荷が加わった場合に、記憶手段が、主軸の位相角およびモータに加わった負荷の値を、前記閾値を超えた高い負荷が加わった時刻に関連付けて記憶することを特徴とするものである。
【発明の効果】
【０００８】
請求項１に記載の主軸監視装置によれば、主軸モータあるいは各送り軸モータに高い負荷が加わったときの工作機械の作動状況を容易に把握することができるので、過負荷が加わった原因を推定することができる。それゆえ、本発明の主軸監視装置によれば、主軸装置の修理や交換の必要がある場合に迅速に対応することが可能となる。
【０００９】
請求項２に記載の主軸監視装置によれば、主軸モータあるいは各送り軸モータに高い負荷が加わったときの工作機械の作動状況を明確に把握することが可能となるため、過負荷が加わった原因を精度良く推定することができる。
【発明を実施するための最良の形態】
【００１０】
以下、本発明の主軸監視装置の一実施形態について、図面にしたがって詳細に説明する。図１は、数値制御方式の工作機械に設置された主軸装置１の断面（主軸に沿った鉛直断面）を示す説明図である。主軸装置１は、主軸３、ハウジング４ａ，４ｂ、軸受５、工具ホルダ７、サーボモータ９、位置検出器６等によって構成されている。主軸３は、ハウジング４ａ，４ｂ内に設けられた軸受５，５・・により回転可能に軸支された状態になっている。そして、その主軸３の先端には、工具８を取り付けるための工具ホルダ７が着脱自在に設置されている。また、主軸３の外周は、ハウジング４ａ，４ｂによって覆われており、そのハウジング４ａの後部の内側および対向する主軸３外周には、主軸３を回転させるためのビルトイン方式のサーボモータ９のステータおよびロータが取り付けられている。一方、ハウジング４ｂの後方には、主軸３の回転位置を検出するための位置検出器６が取り付けられている。また、サーボモータ９には、加わった負荷を検出するためのセンサ２２が設けられている。
【００１１】
また、図２は、主軸装置１に装着される送り軸機構の一例を示したものであり、送り軸機構２ａは、サーボモータ１０、ボールネジ１１、ボールネジナット１２、カップリング１３、支持軸受１４等によって構成されている。ボールネジ１１は、両端の部分が支持軸受１４，１４によって回転可能に支持されおり、カップリング１３を介してサーボモータ１０に連結されている。また、ボールネジ１１には、ボールネジナット１２が螺合されており、そのボールネジナット１２に、主軸装置１が固定された状態になっている。そして、サーボモータ１０が回転すると、ボールネジ１１が回転し、その回転によって、主軸装置１がボールネジナット１２とともに、軸方向（Ｘ方向、すなわち、図２における左右方向）に移動するようになっている。また、サーボモータ１０には、加わった負荷を検出するためのセンサ２３が設けられている。なお、数値制御方式の工作機械には、主軸装置１をＹ方向において位置決めするための送り軸機構２ｂ、主軸装置１をＺ方向において位置決めするための送り軸機構２ｃも設けられている。
【００１２】
図３は、主軸装置１が設けられた数値制御方式の工作機械の制御機構を示すブロック図である。数値制御方式の工作機械には、制御装置１５が設けられており、当該制御装置１５には、ＣＰＵ２１、記憶手段１８が内蔵されている。また、制御装置１５には、インターフェイス１９を介して、位置検出器６、入力手段２０、モニタ１７、サーボモータ９，１０、センサ２２，２３等が接続されている。なお、数値制御方式の工作機械においては、制御装置１５、位置検出器６、入力手段２０、モニタ１７、サーボモータ９，１０、センサ２２，２３等によって主軸監視装置２４が構成されている。
【００１３】
図４は、上記の如く構成された数値制御方式の工作機械の作動内容を示すフローチャートであり、工作機械を作動させる場合には、ステップ（以下、単にＳで示す）１で、入力手段２０を用いて、主軸モータであるサーボモータ９および送り軸モータであるサーボモータ１０の負荷の閾値を予め入力する。そのように負荷の閾値が入力されると、その値が制御装置１５の記憶手段１８に記憶される。そして、負荷の閾値の設定を終えた後に、主電源が投入されると、Ｓ２で、工作機械が作動を開始する。
【００１４】
工作機械の作動中に、サーボモータ９，１０に負荷が加わると、その負荷の値がセンサ２２，２３によって検出され、Ｓ３で、その負荷の値が予め設定された閾値内か否か判断される。そして、閾値内であると判断された場合には、工作機械は稼働を継続する。一方、負荷の値が予め設定された閾値外であると判断された場合には、制御装置１５からの指令に基づいて、Ｓ４で、位置検出器６によって主軸３の位相角を検出する。なお、位置検出器６は、主軸３と同期して回転する検出体１６の位置（０°〜３６０°の回転角度）を電圧にて出力し、その電圧出力からオペレータの位置を基準とした位相を検出する。
【００１５】
また、主軸３の位相角の検出と同時に、制御装置１５からの指令に基づいて、サーボモータ９，１０に加わった負荷の値を記憶手段１８内に記憶する。さらに、閾値を超える高い負荷がサーボモータ９，１０に加わった時刻（過負荷が生じた時刻）、および、サーボモータ９，１０に加わった負荷の値を、図５の如く、モニタ１７に表示する。さらに、Ｓ５で、警報装置を作動させるとともに、工作機械の作動を強制的に停止させる。
【００１６】
工作機械は上記の如く作動するため、モニタ１７に、たとえば、図５の如く、「主軸位相角＝９０°、主軸のモータ負荷＝０％、Ｘ軸のモータ負荷＝１００％、Ｙ軸のモータ負荷＝１０％、Ｚ軸のモータ負荷＝３０％」と表示されている場合には、主軸３の負荷が０％であることから、ワークの加工中以外のタイミングで過負荷が生じたものと推測することができる。また、表示されたＸ軸のモータ負荷が高く、主軸３の９０°という位相角がオペレータの位置を基準としたＸ方向と一致するため、主軸３の回転停止中にＸ軸方向において何らかの衝突が起こったものと推測することができる。さらに、モニタ１７に表示された「過負荷が生じた時刻」（すなわち、２００７／４／１５  １２：００）における工作機械の作動状態（オートあるいはマニュアル）を確認することが可能であり、その情報を考慮することにより、過負荷の原因を一層精度良く推定することが可能となる。
【００１７】
主軸監視装置２４は、上記の如く、主軸モータ（サーボモータ９）あるいは送り軸モータ（サーボモータ１０）に所定の閾値を超えた高い負荷が加わった場合に、主軸３の位相角と、主軸モータおよび各送り軸モータに加わった負荷の値とを記憶する記憶手段１８が設けられているため、主軸モータあるいは各送り軸モータに高い負荷が加わったときの工作機械の作動状況を容易に把握することができるので、過負荷が加わった原因を推定することができる。それゆえ、制御装置１５によれば、主軸装置１の修理や交換の必要がある場合に迅速に対応することが可能となる。
【００１８】
また、主軸監視装置２４は、主軸モータあるいは送り軸モータに所定の閾値を超えた高い負荷が加わった場合に、記憶手段１８が、主軸３の位相角およびモータ（サーボモータ９，１０）に加わった負荷の値を、閾値を超えた高い負荷が加わった時刻に関連付けて記憶する。したがって、制御装置１５によれば、主軸モータあるいは各送り軸モータに高い負荷が加わったときの工作機械の作動状況を明確に把握することが可能となるので、過負荷が加わった原因を精度良く推定することができる。
【００１９】
なお、本発明の主軸監視装置の構成は、上記実施形態の態様に何ら限定されるものではなく、制御装置、位置検出器（主軸の位相角を検出する検出器）、センサ（主軸モータや送り軸モータに加わる負荷を検出するセンサ）等の形状、構造等の構成を、本発明の趣旨を逸脱しない範囲で適宜変更することができる。また、主軸監視装置を設ける数値制御方式の工作機械の構成も、上記実施形態の態様に何ら限定されるものではなく、主軸装置、位置検出器、送り軸機構等の形状、構造等の構成を、本発明の趣旨を逸脱しない範囲で適宜変更することができる。
【００２０】
たとえば、上記実施形態においては、送り軸機構によって主軸装置のＸ，Ｙ，Ｚ方向における位置を位置決めする数値制御方式の工作機械について説明したが、本発明の工作機械は、加工されるワークを固定するためのテーブルのＸ，Ｙ，Ｚ方向における位置を送り軸機構によって位置決めするものに変更することも可能である。
【００２１】
また、送り軸機構は、上記実施形態の如く、ボールネジによって主軸装置やテーブルをスライドさせるものに限定されず、その他の機構によって主軸装置やテーブルを位置決めするものに変更することも可能である。
【産業上の利用可能性】
【００２２】
本発明の主軸監視装置は、上記の如く優れた効果を奏するものであるので、各種の工作機械において主軸の状態を監視するための監視装置として好適に用いることができる。
【図面の簡単な説明】
【００２３】
【図１】主軸装置の主軸に沿った鉛直断面を示す説明図である。
【図２】主軸装置に装着される送り軸機構の一例を示す説明図である。
【図３】数値制御方式の工作機械の制御機構を示すブロック図である。
【図４】数値制御方式の工作機械の作動内容を示すフローチャートである。
【図５】過負荷が生じた際のモニタの表示画面を示す説明図である。
【符号の説明】
【００２４】
１・・主軸装置
２・・送り軸機構
３・・主軸
５・・軸受
６・・位置検出器
９，１０・・サーボモータ
１５・・制御装置
１８・・記憶手段
２２，２３・・センサ
【図１】
2009045711.tif 000003
【図２】
2009045711.tif 000004
【図３】
2009045711.tif 000005
【図４】
2009045711.tif 000006
【図５】
2009045711.tif 000007